(57)【要約】【課題】スクレーパコンベアに備えられるスクレーパの掻き寄せ面に固着した搬送物を、連続的に且つ確実に除去する。【解決手段】クリーニング装置を構成するに、摺動開始位置ａから離脱位置ｂまでの間で、スクレーパ９の掻き寄せ面９ａ上を摺動して、付着搬送物を掻き取り可能な、少なくとも一対の回転羽根１２を回転軸１１回りに備え、スクレーパコンベアの走行により回転軸１１の回転駆動を得る回転羽根機構Ｒを設け、回転軸１１回りの回転羽根１２の配置に関し、先行する回転羽根１２ａが離脱位置ｂにある離脱姿勢において、先行する回転羽根１２ａに後続して移動して来る回転羽根１２ｂが前記摺動開始位置ａから離脱位置ｂまでの間に位置される構成とし、回転軸の回転に抵抗を与える抵抗付与機構を設ける。【選択図】        図２
2004224555.tif 000002
【特許請求の範囲】
【請求項１】
チェーンに所定間隔で取付けられた複数のスクレーパを備え、前記スクレーパの掻き寄せ面により、搬送物を掻き寄せながら搬送するスクレーパコンベア用のクリーニング装置であって、
摺動開始位置から離脱位置までの間で、前記スクレーパの掻き寄せ面上を摺動して、前記掻き寄せ面上に付着した前記搬送物を掻き取り可能な、少なくとも一対の回転羽根を回転軸回りに備え、
前記回転羽根が前記掻き寄せ面に当接する状態で、スクレーパコンベアの走行により前記回転軸の回転駆動を得る回転羽根機構を設け、
前記回転軸回りの回転羽根の配置に関し、先行する前記回転羽根が前記離脱位置にある離脱姿勢において、前記先行する回転羽根に後続して移動してくる回転羽根が、前記摺動開始位置から前記離脱位置までの間に位置する回転羽根配置構成を有し、
前記回転軸の回転に抵抗を与える抵抗付与機構を前記回転羽根機構に備えたスクレーパコンベア用のクリーニング装置。
【請求項２】
前記スクレーパが、スクレーパコンベアの走行方向及び鉛直方向に直交する方向を、その平面内に含む前記掻き寄せ面を備えて構成され、
前記回転軸が、前記直交する方向に平行な回転軸であるとともに、前記回転羽根が前記回転軸に直交する方向に伸びる軸径方向延出材を備えて構成され、前記軸径方向延出材の延出端が、掻き取り時に、前記掻き寄せ面に当接する請求項１記載のスクレーパコンベア用のクリーニング装置。
【請求項３】
前記回転羽根機構が、前記回転軸を有する機構本体と、前記掻き寄せ面に当接する羽根部とを備えて構成され、
前記機構本体に対して、前記羽根部が、前記回転軸の軸径方向において位置調節自在に構成されている請求項１又は２記載のスクレーパコンベア用のクリーニング装置。
【請求項４】
請求項１〜３のいずれか一項記載のスクレーパコンベア用のクリーニング装置と、スクレーパコンベアとを設けてなる搬送設備であって、
複数の前記クリーニング装置を備え、異なるクリーニング装置間で、回転羽根による掻き寄せ面上の搬送物掻き取り部位が異なる搬送設備。
【請求項５】
前記クリーニング装置及びスクレーパコンベアを覆う密閉フードが設けられ、前記密閉フード内部空間と外部空間とが隔離されている請求項４記載の搬送設備。
【発明の詳細な説明】
【０００１】
【発明の属する技術分野】
本発明は、チェーンに所定間隔で取付けられた複数のスクレーパを備え、このスクレーパに設けられる掻き寄せ面により、搬送物を掻き寄せながら搬送するスクレーパコンベアに関するものであり、さらに詳細には、搬送を終了して搬送始端側に戻される搬送戻り路上にあるスクレーパの掻き取り面に付着した、湿灰等の搬送物を取り除くクリーニング装置に関する。
【０００２】
【従来の技術】
一般に、この種のスクレーパコンベアは１条または２条のチェ−ンに一定間隔で取付けられた多数のスクレ−パを備え、これによりトラフの中の搬送物を掻き寄せ搬送するチェ−ンコンベアであり、搬送物としては、塊状から粉粒体のものを取り扱うことができる。従って、比較的付着性の高い湿灰までも、その搬送対象となる。
【０００３】
この種の湿灰は、例えば、ごみ焼却設備から溶融設備への搬送の対象となるが、その付着性によりスクレーパの表面に固着した状況では、搬送性能を低下させる。
【０００４】
そこで、スクレーパの表面に固着した搬送物を連続的に、搬送戻り路で除去する技術が提案されている。
【０００５】
特許文献１では、スクレーパコンベアのチェ−ンを駆動するスプロケットを回った下走側に、揺動自在のワイパア−ムを設け、このワイパア−ムの一端側に、間欠的に走行して来るスクレーパの少なくとも掻き寄せ面に当接するワイパを設け、該ワイパア−ムの他端側に、復帰用部材を設ける。クリーニングにあたっては、前記スクレーパの走行力により、ワイパがスクレーパに付着した搬送物を掻き落とした後、復帰用部材により、該ワイパを次のスクレーパを待つための復帰位置に復帰させる。
【０００６】
【特許文献１】
特開２０００−０８５９３８号公報（特許請求の範囲の請求項１、図面等）
【０００７】
【発明が解決しようとする課題】
上記公報に開示の技術では、可撓性ブラシ状のワイパを使用するため、ワイパの寿命が著しく短い。さらに、アームはワイパが働く姿勢と、スクレーパから引退した姿勢とを交互に繰り返すため、揺動機構に掛かる負担が大きい。
【０００８】
一方、例えば、スクレーパを適宜ハンマ等で打撃することも考えられるが、出願人らが試みたところ、充分に固着物を除去できない。さらに、エアー、蒸気、水等をクリーニングに使用することも考えられるが、除去能に限界があり、クレーニングに伴って発生する固着物の飛散や・排気・排水等の処理が問題となる。
【０００９】
本発明の目的は、スクレーパコンベアに備えられるスクレーパの掻き寄せ面に固着した搬送物を、連続的に且つ確実に除去することができるスクレーパコンベア用のクリーニング装置を得るとともに、この様なクリーニング装置を備えた搬送設備を得ることにある。
【００１０】
【課題を解決するための手段】
上記目的を達成するための本願に係る、チェーンに所定間隔で取付けられた複数のスクレーパを備え、前記スクレーパの掻き寄せ面により、搬送物を掻き寄せながら搬送するスクレーパコンベア用のクリーニング装置の特徴構成は、請求項１に記載されているように、
摺動開始位置から離脱位置までの間に、前記スクレーパの掻き寄せ面上を摺動して、前記掻き寄せ面上に付着した前記搬送物を掻き取り可能な、少なくとも一対の回転羽根を回転軸回りに備え、
前記回転羽根が前記掻き寄せ面に当接する状態で、スクレーパコンベアの走行により前記回転軸回りの回転駆動を得る回転羽根機構を設け、
前記回転軸回りの回転羽根の配置に関し、先行する前記回転羽根が前記離脱位置にある離脱姿勢において、前記先行する回転羽根に後続して移動してくる回転羽根が前記摺動開始位置と前記離脱位置の間に位置する回転羽根配置構成を備え、
前記回転軸の回転に抵抗を与える抵抗付与機構を前記回転羽根機構に備えたことにある。
【００１１】
この構成のスクレーパコンベア用のクリーニング装置にあっては、回転羽根が回転軸回りに回転しながら、回転羽根の所定部位が移動してくるスクレーパの掻き寄せ面上を摺動し、表面に固着している搬送物を掻き取る。
この状態において、羽根、ひいては回転羽根機構は、コンベア側からその駆動力を得て回転する。
【００１２】
この回転に対して、回転羽根機構に備えられる抵抗付与機構により、回転羽根所定部位の掻き寄せ面への当接圧が確保されるとともに、回転羽根機構はフリーに回転することなく、コンベア側の走行に従った、回転姿勢が保たれる。
【００１３】
そして、先行する回転羽根が、その離脱位置に到達した段階で、後続する回転羽根が、同じく後続するスクレーパの掻き寄せ面の摺動開始位置までの間に来るように構成されているため、回転羽根機構の回転、掻き取りが継続される。
【００１４】
結果、次々と、確実にスクレーパの掻き寄せ面に固着している搬送物を除去することができる。又、機構構成が回動を基本とするため、動作が安定し、長期に亙って信頼性のあるクリーニング能を発揮できる。
【００１５】
さて、この種の構成を採用するに、請求項２に記載されているように、
前記スクレーパが、スクレーパコンベアの走行方向及び鉛直方向に直交する方向を、その平面内に有する前記掻き寄せ面を備えて構成され、
前記回転軸が、前記直交する方向に平行な回転軸であるとともに、前記回転羽根が前記回転軸に直交する方向に伸びる軸径方向延出材を備えて構成され、前記軸径方向延出材の延出端が、掻き取り時に、前記掻き寄せ面に摺接する構成とすることが好ましい。
【００１６】
回転軸の方向とスクレーパの掻き寄せ面との方向とを合わせるとともに、その軸径方向に伸びる延出材を備えて、延出端を掻き取り作用をする部位とすることで、回転軸横断視、放射状に径方向に延出された複数の延出材を備える、比較的製造容易な構造で、本願のスクレーパコンベア用のクリーニング装置を実現できる。
【００１７】
また、上記構成において、請求項３に記載されているように、
前記回転羽根機構が、前記回転軸を有する機構本体と、前記掻き寄せ面に当接する羽根部とを備えて構成され、
前記機構本体に対して、前記羽根部が、前記回転軸の軸径方向において位置調節自在に構成されていることが好ましい。
【００１８】
機構本体に対して、回転羽根を延出・引退自在とすることで、その回転羽根の掻き取り作用位置を、調整することが可能となる。
【００１９】
また、これまで説明してきたスクレーパコンベア用のクリーニング装置と、スクレーパコンベアとを設けてなる搬送設備を構成するに、請求項４に記載されているように、
複数の前記クリーニング装置を備え、異なるクリーニング装置間で、回転羽根による掻き寄せ面上の搬送物掻き取り部位が異なる構成とすることが好ましい。
クリーニング装置を複数備え、さらに、そのクリーニング箇所を異ならせておく（一部重なっていてもよい）ことで、各部位を確実にスクレーパの掻き寄せ面をクリーニングできる。
【００２０】
さらに、請求項５に記載されているように、前記クリーニング装置及びスクレーパコンベアを覆う密閉フードが設けられ、前記密閉フード内部空間と外部空間とが隔離されていることが好ましい。
搬送物が湿灰のような焼却物等である場合、内部にダイオキシン等の有害物を含む場合もあり、この種の物質が拡散するのを防止するために、隔離構造を採用することが好ましい。
【００２１】
【発明の実施の形態】
本願発明を、添付図面に示す実施の形態例により詳細に説明する。
図１は本発明のクリーニング装置１を備えた搬送設備２の実施の形態の正面図、図２は要部の詳細図であり、図３は図１、２に示すクリーニング装置近傍の平面図、図４は図１、２に示すクリーニング装置近傍の側面図である。図５は、回転動作説明図である。
【００２２】
〔設備全体の構成〕
本願の搬送設備２は、スクレーパコンベア３と、その搬送戻り路３Ａに装備されるクリーニング装置１を備えて構成されており、図１左側で、ごみ焼却設備から搬出される湿灰４を、受け入れ口５において受け入れ、同図右側で、溶融設備側に連なる放出口６での放出用に搬送する。
【００２３】
スクレーパコンベア３は、入り口５側と放出６側との所定箇所に設けられるスプロケット７間に、２条のチェーン８を掛け渡して構成されている。
図２に示すように、スクレーパ９は、連続するチェーン８のローラ８ａを接続するリンクプレート８ｂに取付けされて構成されており、チェーン８が図１、２に示す左右方向に走行する状態において、プレート前面は鉛直上下方向の掻き寄せ面９ａを形成するように構成されている。
【００２４】
図１、２において、チェーン８が右側に向かって走行する下側走行部が、搬送物を掻き寄せながら搬送する搬送路３Ｂとされており、チェーン８が左側に向かって走行する上側走行部が搬送戻り路３Ａとなっている。
【００２５】
〔スクレーパ９〕
スクレーパ９は、図３の平面視図に示されるように、平面視、略Ｈ型（図３に示される配置で、左若しくは右から見てＨ型を成す）の部材から構成されており、図３に示される上下方向端において、両端側に位置するリンクプレート８ｂに両端が接続固定されている。スクレーパ９は、この方向が長手方向とされている。
【００２６】
図１、２、図４に示すように、スクレーパ９は、鉛直方向において一定の幅を有する方形の部材であり、チェーン８との取付け構造との関係で、チェーン８が水平方向（図１に示す左右方向）に移動する状態で、鉛直姿勢を取る。
その鉛直姿勢で、掻き寄せ面９ａは、チェーン８の走行方向前側の端面となる。
【００２７】
図１、２、図４に示すように、スクレーパ９の鉛直上下方向の所定部位（搬送戻り路３Ａにおいては鉛直方向上側、搬送路３Ｂにおいては鉛直方向下側に位置する）で、チェーン８の走行方向後側の端面には、図２に示す断面視三角箱型の補強フレーム９ｂが設けられている。
この補強フレーム９ｂは、搬送物４を搬送する図１、２の下側走行部に位置するスクレーパ９の下端側部位を補強する役目を果たす。
【００２８】
さらに、同図に示すように、スクレーパコンベア３及びクリーニング装置１は、共に密閉フード１０内に収納されており、搬送物４が搬送される内部経路と、フード１０外との空間が遮断・隔離される構成が採用されている。
【００２９】
以下、さらに詳細にクリーニング装置１に関して説明する。
〔装置の概略構造〕
装置１は、例えば、スクレーパ９の長手方向である、図１紙面表裏方向（図３上下方向）に伸びる回転軸１１と、図５に示すように、この回転軸１１回りに均等分配して設けられた回転羽根１２とから成る回転羽根機構Ｒを備えて構成されている。図示する例では、４枚の回転羽根１２が備えられている。
【００３０】
回転羽根機構Ｒの回転は、コンベア３に備えられるチェーン８、スクレーパ９、回転羽根１２を介して伝達される駆動力によって起こされる。
【００３１】
この回転において、摺動開始位置ａから離脱位置ｂまでの間で、回転羽根１２はスクレーパ９の掻き寄せ面９ａ上を摺動して、掻き寄せ面９ａ上に付着した前記搬送物４を掻き取る。図２、５に示す、ａの位置が摺動開始位置であり、ｂの位置が離脱位置である。
【００３２】
図２からも判明するように、回転軸１１の回転に関し、先行する回転羽根１２ａが前記離脱位置ｂにある離脱姿勢において、先行する回転羽根１２ａに後続の回転羽根１２ｂが摺動開始位置ａから離脱位置ｂまでの間に来る構成が採用されている。
【００３３】
さらに、図３、４に示す様に、回転軸１１の回転に抵抗を与える抵抗付与機構Ｆが回転羽根機構Ｒに備えられている。
【００３４】
〔回転羽根機構Ｒ〕
これまで説明したように、回転羽根機構Ｒは、複数の回転羽根１２を備えて構成されているが、この羽根１２は、回転軸１１に直交する方向に伸びる軸径方向延出材とされており、その延出端１３が、掻き寄せ面９ａに当接する構造とされている。調整可能とすることで、羽根先端位置を運転状態で調整して、確実に先端がスクレーパに当て付けることができる。さらに、羽根部が容易に交換でき、運転性能を向上できる。
【００３５】
また、この回転羽根機構Ｒが、回転軸１１を有する機構本体１４と掻き寄せ面９ａに当接する羽根部１５とを備えて構成され、機構本体１４に対して、羽根部１５が、回転軸１１の軸径方向において位置調節自在に構成されている。この位置調節は、本体側に設けられた長孔１６を介して、その固定位置を調整することで可能となっている。
【００３６】
〔抵抗付与機構Ｆ〕
この抵抗付与機構Ｆは、回転軸１１の回転に抵抗を与え、回転羽根１２の掻き寄せ面９ａへの摺接を確保するためのものである。
【００３７】
図４に示すように、この機構Ｆは、回転軸１１の一方端にトルクキーパ１７を備えて構成されており、クリーニング装置基台を成し回転軸両端近傍に備えられるプレート１８の一方と、このプレート１８に固着されるトルクアーム１９との間で、回転軸１１の回転にブレーキを掛けることが可能とされている。
【００３８】
以上、説明した構成を採用することにより、搬送戻り路３Ａを戻るスクレーパ９の掻き取り面９ａに羽根部１５が押しつけられた状態で、回転羽根機構Ｒが回動し、連続的に回転羽根先端が、掻き寄せ面９ａ上を移動して、間欠的もしくは連続して、所定位置に移動してくるスクレーパ９をクリーニングすることができる。
【００３９】
即ち、抵抗付与機構Ｆにより容易に回転しないように回転軸１１に抵抗をつけ、回転軸１１に掻き落とし用の回転羽根１２を複数設置し、コンベヤ側のスクレーパ９の移動の間隔に沿って回転羽根１２を回転し、後続の回転羽根１２が後続のスクレーパ９に対して連続的に掻き取りを開始して、搬送付着物を除去することができる。この場合、後続の回転羽根１２は、後続のスクレーパ９が来るまで、所定位置で待機するものであってもよい。
【００４０】
〔別実施の形態〕
本願の別実施の形態について、以下説明する。
（１）  上記の実施の形態にあっては、羽根部の径方向位置を調節可能としたが、必ずしも調節可能とする必要はなく、機構本体側に固定された構成であってもよい。
（２）  上記の実施の形態にあっては、クリーニング装置１を、単一備える構成としたが、図６に示すように、２、あるいはそれ以上、備えるものとしてもよい。図６に示す例にあっては、図面右側に位置されるクリーニング装置１ａの掻き取り深さに対して、同図左側に位置されるクリーニング装置１ｂのそれが、鉛直方向下側となる位置に設定されており、掻き寄せ面全体に亙る充分なクリーニング能を発揮することができる。
（３）  上記の実施の形態にあっては、回転軸１１まわりに、４枚の回転羽根１２を備える例を示したが、羽根は一対以上あればよく、次々に駆動を取れる構成を有していればよい。当然、３枚以上でもよい。
【図面の簡単な説明】
【図１】本発明のクリーニング装置を備えた搬送設備の実施の形態の正面図
【図２】図１に示すクリーニング装置近傍の詳細正面図
【図３】図１に示すクリーニング装置近傍の平面図
【図４】図１に示すクリーニング装置近傍の側面図
【図５】動作説明図
【図６】本願の別実施の形態を示す図
【符号の説明】
１      クリーニング装置
２      搬送設備
３      スクレーパコンベア
３Ａ  搬送戻り路
４      湿灰（搬送物）
９      スクレーパ
９ａ  掻き寄せ面
１０  密閉フード
１２  回転羽根
１３  延出端
１４  機構本体
１５  羽根部
１７  トルクキーパ
Ｒ    回転羽根機構
Ｆ    抵抗付与機構
【図１】
2004224555.tif 000003
【図２】
2004224555.tif 000004
【図３】
2004224555.tif 000005
【図４】
2004224555.tif 000006
【図５】
2004224555.tif 000007
【図６】
2004224555.tif 000008